(57)【要約】【課題】可動演出ユニットをベース部材の所定位置に簡単かつ確実に固定することができる遊技機を提供する。【解決手段】パチンコ機（遊技機）は、ベース部材２４に第１収納凹部２５ａと第２収納凹部２５ｂを有する収納凹所２５が設けられていると共に、収納凹所２５の内底部にスライド部材３４がロック位置とアンロック位置との間を移動可能に保持されており、十字キーユニット１７の未装着状態で第２収納凹部２５ｂに露出するスライド部材３４をロック位置へ移動することによって、可動演出ユニット１６の第１収納凹部２５ａからの脱落を阻止することができると共に、十字キーユニット１７を第２収納凹部２５ｂに組み付けることによって、スライド部材３４をロック位置に維持して外部から操作できないようにした。【選択図】図１２
2014200412.tif 000002
【特許請求の範囲】
【請求項１】
機器本体のベース部材に可動演出ユニットと装飾部品とが近接して配設されている遊技機において、
前記ベース部材に上面を開放した収納凹所が設けられており、この収納凹所が前記可動演出ユニットの組み付け位置として定められた第１収納凹部と前記装飾部品の組み付け位置として定められた第２収納凹部と有していると共に、前記収納凹所の内底部にスライド部材がロック位置とアンロック位置との間を移動可能に保持されており、
前記可動演出ユニットは、ロック位置にある前記スライド部材に係止して前記第１収納凹部からの脱落が阻止されると共に、前記スライド部材がアンロック位置にあるときに前記第１収納凹部に対して着脱可能であり、
前記装飾部品は、前記スライド部材がロック位置にあるときに前記第２収納凹部に対して組み付け可能であると共に、前記第２収納凹部に組み付けられたときに前記スライド部材に当接してアンロック位置への移動を阻止することを特徴とする遊技機。
【請求項２】
請求項１の記載において、前記装飾部品に下方へ突出するストッパ片が設けられていると共に、前記スライド部材に前記ストッパ片に係合可能な受部と当該スライド部材の移動の際に操作者によって操作可能とする作動部とが近接して設けられており、前記スライド部材がアンロック位置にあるときに、前記受部は前記ストッパ片と平面的に重なる位置にあって前記装飾部品の前記第２収納凹部に対する組み付けを阻止し、前記作動部の操作に基づいて前記スライド部材がロック位置にあるときに、前記受部は前記ストッパ片の側面に対向して前記スライド部材のアンロック位置への移動を阻止することを特徴とする遊技機。
【発明の詳細な説明】
【技術分野】
【０００１】
本発明は、パチンコ機やスロットマシン等の遊技機に係り、特に、押圧ボタン等を備えた可動演出ユニットの固定構造に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
従来より、この種のパチンコ機において、押圧ボタン等を備えた可動演出ユニットを機器本体の前面の所定位置、例えば遊技球を収納する受皿の周囲に配設し、電子抽選の抽選結果に基づいて可変表示装置で特定の表示演出を行う際に、遊技者に対して可動演出ユニットの操作を促すことにより、遊技者を演出に参加させて遊技の興趣性を高めるようにしたものが知られている（例えば、特許文献１参照）。
【０００４】
特許文献１に開示されたパチンコ機では、操作パネルに開設した取付孔に可動演出ユニットの底部を挿入して裏面側に突出させた後、この底部に嵌め込んだリング状の固定具を一方向へ回転操作してロック状態とすることにより、可動演出ユニットを操作パネルに固定することが可能となり、固定具を逆方向へ回転操作してロック解除することにより、可動演出ユニットを操作パネルから取り外せるようになっている。そして、可動演出ユニットを操作パネルにロック状態で組み付けた後、この操作パネルを機器本体の前面と球皿カバーの上端内縁とで挟持することにより、機器本体から球皿カバーを取り外さない限り可動演出ユニットの取り外しを行えないようになっている。
【先行技術文献】
【特許文献】
【０００５】
【特許文献１】特開２００９−２１３５３６号公報
【発明の概要】
【発明が解決しようとする課題】
【０００６】
しかしながら前述した従来技術では、可動演出ユニットを検査したり交換するメンテナンス作業時に、まず、球皿カバーを機器本体から取り外して操作パネルとの係合を解除した後、操作パネルを可動演出ユニットと一緒に機器本体から取り外し、次いで、固定具を回転操作して可動演出ユニットと操作パネルとのロック状態を解除することにより、可動演出ユニットを操作パネルから取り外すことができるようになるため、球皿カバーや操作パネルを含む多くの周辺部材を取り外す必要があり、可動演出ユニットのメンテナンス作業が煩雑で面倒であった。
【０００７】
本発明は、このような従来技術の実情に鑑みてなされたもので、その目的は、可動演出ユニットをベース部材の所定位置に簡単かつ確実に固定することができる遊技機を提供することにある。
【課題を解決するための手段】
【０００８】
上記の目的を達成するために、本発明は、機器本体のベース部材に可動演出ユニットと装飾部品とが近接して配設されている遊技機において、前記ベース部材に上面を開放した収納凹所が設けられており、この収納凹所が前記可動演出ユニットの組み付け位置として定められた第１収納凹部と前記装飾部品の組み付け位置として定められた第２収納凹部と有していると共に、前記収納凹所の内底部にスライド部材がロック位置とアンロック位置との間を移動可能に保持されており、前記可動演出ユニットは、ロック位置にある前記スライド部材に係止して前記第１収納凹部からの脱落が阻止されると共に、前記スライド部材がアンロック位置にあるときに前記第１収納凹部に対して着脱可能であり、前記装飾部品は、前記スライド部材がロック位置にあるときに前記第２収納凹部に対して組み付け可能であると共に、前記第２収納凹部に組み付けられたときに前記スライド部材に当接してアンロック位置への移動を阻止するようにした。
【０００９】
このように構成された遊技機では、スライド部材をアンロック位置に移動した状態で収納凹所の第１収納凹部内に可動演出ユニットを組み込んだ後、収納凹所の第２収納凹部内に露出するスライド部材を操作してロック位置へ移動すると、可動演出ユニットがスライド部材に係止されてロック状態となり、この状態で装飾部品を第２収納凹部に組み付けると、スライド部材の一部が装飾部品に当接してロック位置に保持されるため、装飾部品を第２収納凹部に組み付けることによって可動演出ユニットの第１収納凹部からの脱落を確実に阻止することができる。
【００１０】
上記の構成において、装飾部品に下方へ突出するストッパ片が設けられていると共に、スライド部材にストッパ片に係合可能な受部と当該スライド部材の移動の際に操作者によって操作可能とする作動部とが近接して設けられており、スライド部材がアンロック位置にあるときに、受部はストッパ片と平面的に重なる位置にあって装飾部品の第２収納凹部に対する組み付けを阻止し、作動部の操作に基づいてスライド部材がロック位置にあるときに、受部はストッパ片の側面に対向してスライド部材のアンロック位置への移動を阻止するようになっていると、可動演出ユニットと装飾部品の組立／分解作業を簡単に行うことができて好ましい。
【発明の効果】
【００１１】
本発明の遊技機は、機器本体のベース部材に設けられた収納凹所に対する可動演出ユニットおよび装飾部品の組立／分解作業を簡単かつ確実に行うことができる。
【図面の簡単な説明】
【００１２】
【図１】実施形態例に係るパチンコ機の外観を示す斜視図である。
【図２】図１に示すパチンコ機の前面扉を開放した状態の斜視図である。
【図３】図１に示すパチンコ機の背面図である。
【図４】図１のパチンコ機に備えられる可動演出ユニットと十字キーユニットの非装着状態を示す斜視図である。
【図５】可動演出ユニットの構成部材である下カバーの斜視図である。
【図６】可動演出ユニットと十字キーユニットが組み付けられる収納凹所の説明図である。
【図７】収納凹所の内底部に固定された支持部材の斜視図である。
【図８】収納凹所の内底部に配置されたスライド部材の斜視図である。
【図９】スライド部材の平面図である。
【図１０】可動演出ユニットとスライド部材のロック／アンロック状態を下面側から見た説明図である。
【図１１】可動演出ユニットを収納凹所に組み込んだ直後の状態を示す断面図である。
【図１２】可動演出ユニットと十字キーユニットを収納凹所に装着した状態を示す断面図である。
【発明を実施するための形態】
【００１３】
発明の実施の形態について図面を参照して説明すると、図１に示すように、本発明の実施形態例に係るパチンコ機（遊技機）は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１４】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１５】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や可動役物装置、始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００１６】
本体枠２の右側枠部は第１ヒンジ機構と反対側の自由端側であり、この右側枠部の裏面にはシリンダ錠１１ａを有する施錠装置１１が設置されている。図示省略されているが、この施錠装置１１は本体枠２の裏面に配置された後部施錠杆と本体枠２の前面に配置された前部施錠杆とを備えており、常態では、施錠装置１１の後部施錠杆によって機枠１に対して本体枠２が施錠されると共に、前部施錠杆によって本体枠２に対して前面扉３が施錠されている。そして、シリンダ錠１１ａの鍵穴に図示せぬ鍵を差し込み、この鍵を一方向（例えば時計回り）へ回動すると、後部施錠杆が下動して本体枠２が開錠されるようになっている。また、シリンダ錠１１ａの鍵穴に差し込んだ鍵を他方向（反時計回り）へ回動すると、前部施錠杆が上動して前面扉３が開錠されるようになっている。
【００１７】
図１に戻り、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４とが設けられており、下段受皿１４の右側方には発射装置１０の発射強度を調整するための操作ハンドル１５が配設されている。さらに、上段受皿１３の中央部前方には後述する可動演出ユニット１６と十字キーユニット１７が近接した位置に配設されている。この可動演出ユニット１６は遊技の進行状況に応じて遊技者が適時に使用する装置であり、十字キーユニット１７は演出履歴等の各種情報を検索したり入力する装置である。
【００１８】
図３に示すように、このパチンコ機の背面側には、遊技に関する主要な処理を行う主制御基板１８と、主制御基板１８からの指令を受けて可動演出ユニット１６や可変表示装置やスピーカ等の各種装置を制御すると共に、十字キーユニット１７等の操作部からの入力信号を受けて各種装置を制御する副制御基板１９と、前述した賞球払出装置２０と、主制御基板１８からの指令を受けて賞球払出装置２０を制御する払出制御基板２１と、操作ハンドル１５の回動量に応じて発射装置１０の作動を制御する発射制御基板２２と、大当たり回数等の各種情報を遊技場のホールコンピュータに出力する外部端子基板２３等が設けられている。主制御基板１７には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭやＲＡＭに格納された各種プログラムやデータを読み込んで実行することにより、遊技に関する主要な処理が行われる。また、副制御基板１９にも主制御基板１７と同様のＣＰＵ、ＲＯＭ、ＲＡＭが実装されており、後述の押圧ボタン２６や十字キーユニット１７からの信号入力に基づいて遊技領域９の可変表示装置に対する表示変更処理や所定の演出処理を開始するようにしたり、主制御基板１７からの信号入力に基づいて回転リング２７を回転制御するように回転処理を行わせて遊技に係る所定演出や押圧ボタン２６の有効押圧状態の示唆を行わせるようにしたりする。
【００１９】
図４に示すように、上段受皿１３は遊技機の機器本体（筺体）を構成する一部となるものであり、この上段受皿１３の外殻をなすベース部材２４には、複数の遊技球を収容すると共に、収容された遊技球を機内に設けられる球発射装置へと１球づつ誘導する皿収容空間部２４ｂと、皿収容空間部２４ｂの手前側において遊技者と対峙する前面部２４ｃが設けられている。ベース部材２４の前面部２４ｃの略中央領域には、上面を開放した収納凹所２５が設けられており、この収納凹所２５は隔壁２４ａによって区画された第１収納凹部２５ａと第２収納凹部２５ｂとを有している。第１収納凹部２５ａは可動演出ユニット１６の組み付け位置として定められた部位であり、この第１収納凹部２５ａ内には、可動演出ユニット１６と副制御基板１９とを電気的に接続するためのコネクタ付きワイヤーハーネスが引き回されている。そして、このワイヤーハーネスにコネクタ接続される可動演出ユニット１６を組み付けた場合、第１収納凹部２５ａの上面開放部が隙間なく密閉状態となるように閉鎖されることとなる。また、第２収納凹部２５ｂは十字キーユニット１７の組み付け位置として定められた部位であり、この第２収納凹部２５ｂ内には、十字キーユニット１７と副制御基板１９とを電気的に接続するためのコネクタ付きワイヤーハーネスが引き回されている。そして、このワイヤーハーネスにコネクタ接続される十字キーユニット１７を組み付けた場合、第２収納凹部２５ｂの上面開放部が隙間なく密閉状態となるように閉鎖されることとなる。これらの組み付けにより、前面部２４ｃの中央領域は押圧ボタン２６や十字キーの操作盤３０を備える操作領域として形成される。
【００２０】
可動演出ユニット１６は、遊技者によって押圧操作される押圧ボタン２６と、押圧ボタン２６の周囲に回転可能かつ駆動制御可能に配置された回転リング２７と、回転リング２７を支持する外装ケース２８と、外装ケース２８の下面に固定された下カバー２９と、回転リング２７を駆動する図示せぬモータや押圧ボタン２６の押圧面を発光させるための発光装置、押圧ボタン２６の押圧状態を検知するスイッチ等を備えており、これら各部品はユニット化されて１つの部品として取り扱われるようになっている。図５に示すように、下カバー２９の底面四隅には、それぞれが略並行かつ同一方向に向かって延びる平面部を有する板状の係合段部２９ａが形成されており、図１１に示すように、この係合段部２９ａは同一方向が開放部となる断面コの字状としている。これら４つの係合段部２９ａにおける断面コの字状の内側領域２９ｂに後述するスライド部材３４のフック爪３４ｄが出入りすることで係脱可能になっている。
【００２１】
十字キーユニット１７は可動演出ユニット１６に近接配置された装飾部品である。この十字キーユニット１７は、遊技者によって４方向へ揺動操作される上ボタン凸部、下ボタン凸部、左ボタン凸部、右ボタン凸部が設けられた略円形の操作盤３０と、操作盤３０を揺動可能に支持する取付板３１および下ケース３２と、操作盤３０の真下に組み込まれて前述の４方向への揺動操作に応じた動作を検知可能とするスイッチ等を備えており、これら各部品はユニット化されて１つの部品として取り扱われるようになっている。取付板３１の外周部には弾性変形可能な第１係合部３１ａが設けられており、ベース部材２４の第２収納凹部２５ｂの上部周囲部に設けられた第２係合部２４ｄと前述の第１係合部３１ａとが弾性変形に基づいて互いに嵌り合うスナップ結合となることにより、取付板３１は第２収納凹部２５ｂの上面開放部が隙間なく密閉状態となるようにして固定される。なお、前述の固定方法については、スナップ結合でなくともネジ止め等を含む周知の固定手段を用いるようにしても良い。図１２に示すように、下ケース３２の底面には下方へ突出するストッパ片３２ａが設けられており、このストッパ片３２ａが後述するスライド部材３４の移動状態の変化に応じて受部３４ｆと係脱可能になっている。
【００２２】
図６に示すように、第１収納凹部２５ａの内底部には、スライド部材３４を移動可能に支持する支持部材３３がネジ止め固定されている。この支持部材３３によって第１収納凹部２５ａと第２収納凹部２５ｂが併設されている同図の左右方向（Ｘ１−Ｘ２方向）へスライド部材３４が移動自在となるようにしている。図７に示すように、支持部材３３の中央部には枠状の開口３３ａが設けられており、この開口３３ａを介して平行に対面する両内壁（図６の左右方向と直交する一対の上下面）に一対のガイド面３３ｂが形成されている。図８と図９に示すように、スライド部材３４は、支持部材３３の開口３３ａ内に挿入される挿入部分を備える枠状部３４ａと、枠状部３４ａの一端側から突出する突出部３４ｂとを有する一体成形品であり、枠状部３４ａの開口領域内における中央部に補強用の橋絡片３４ｃが設けられると共に、枠状部３４ａの開口領域内における内壁面四隅に前述したフック爪３４ｄが形成されている。フック爪３４ｄは、枠状部３４ａの開口内に向かって突出する平面部を有する板片であって、フック爪３４ｄ１とフック爪３４ｄ２は一対の対向する形状となり、フック爪３４ｄ３とフック爪３４ｄ４は一対の対向する形状となる。突出部３４ｂは図６のＸ１−Ｘ２方向における枠状部３４ａの一方（右側面）から突出するブロック状部材であり、その先端側は有底の角筒状に形成されて溝空間３４ｅ−１を有する作動部３４ｅとなっている。突出部３４ｂの上面には作動部３４ｅの溝空間３４ｅ−１を囲む上部周囲面３４ｆ−１が形成され、上部周囲面３４ｆ−１における枠状部３４ａ寄りは平面となって断面逆Ｌ字状の受部３４ｆが近接して設けられており、この受部３４ｆにおける枠状部３４ａの開口領域内へ向かう側面３４ｆ−２は平面視円弧状に切欠かれている。これにより、平面視円弧状の側面３４ｆ−２の形状によって、角筒状の溝空間３４ｅ−１に対し操作者の１つの指（例えば、人差指）を挿入した後に、他の指（例えば、親指）により摘み易くする作動部３４ｅとしての効果を図ることができる。
【００２３】
スライド部材３４の枠状部３４ａの第１外側面３４ａ−１と第２外側面３４ａ−２は、支持部材３３の開口３３ａ内に挿入された際に一対のガイド面３３ｂと近接するように配設され、枠状部３４ａの第１外側面３４ａ−１と第２外側面３４ａ−２が図６のＸ１−Ｘ２方向に移動する場合には当該一対のガイド面３３ｂに沿って摺動することとなり、枠状部３４ａは安定して第１収納凹部２５ａの内部を移動自在となるよう支持される。第１収納凹部２５ａの内底部に固定された支持部材３３の開口３３ａ内に挿入され移動自在とされたスライド部材３４の突出部３４ｂは、ベース部材２４の隔壁２４ａを貫通して第２収納凹部２５ｂの内部に達しており、第２収納凹部２５ｂ内に露出する作動部３４ｃの溝空間３４ｅ−１に操作者の指や治具等を引っ掛けて図６のＸ１−Ｘ２方向に操作することにより、スライド部材３４は図６（ａ）に示す隔壁２４ａ寄りのアンロック位置と図６（ｂ）に示す隔壁２４ａ寄りから離れるロック位置との間を移動可能となっている。
【００２４】
次に、可動演出ユニット１６と十字キーユニット１７をベース部材２４の収納凹所２５に組み付ける手順について説明する。
【００２５】
まず、図６（ａ）に示すように、スライド部材３４を開口３３ａの左側内壁寄りとなる図中Ｘ１方向末端のアンロック位置に移動し、この状態で可動演出ユニット１６を第１収納凹部２５ａの上部開口から内部に挿入する。図１０（ａ）はこの状態を可動演出ユニット１６の下方から見た説明図であり、可動演出ユニット１６の下カバー２９に形成された４つの係合段部２９ａはスライド部材３４の枠状部３４ａに形成された各フック爪３４ｄと平面的に重ならない位置にあるため、可動演出ユニット１６は第１収納凹部２５ａに挿入規制されない着脱可能なアンロック状態となっている。
【００２６】
このように可動演出ユニット１６を上方から第１収納凹部２５ａに組み込むと、可動演出ユニット１６は第１収納凹部２５ａの内底部に固定された支持部材３３に載置されて水平方向に移動不可能な位置決め状態となる。これにより、図１１に示すように、第１収納凹部２５ａの上部開口は可動演出ユニット１６（外装ケース２８）によって塞がれるが、第２収納凹部２５ｂの内底部にスライド部材３４の突出部３４ｂ（受部３４ｆおよび作動部３４ｃ）が露出する。そして、図６（ｂ）に示すように、この作動部３４ｃに操作者の指や治具等を引っ掛けてスライド部材３４を開口３３ａの右側内壁寄りとなるＸ２方向（図の右方）へ引き込むと、スライド部材３４の第１外側面３４ａ−１と第２外側面３４ａ−２が支持部材３３の一対のガイド面３３ｂに沿って案内されながら摺動してアンロック位置からロック位置へと移動する。図１０（ｂ）はこの状態を可動演出ユニット１６の下方から見た説明図であり、スライド部材３４の各フック爪３４ｄのＸ２方向への移動先において各係合段部２９ａが対応して位置決め配設されており、このＸ２方向への移動に伴って各フック爪３４ｄの平面部と対応する各係合段部２９ａの平面部が上下に重なり合うように断面コの字状の内側領域２９ｂへ挿入されて引っ掛かる状態となることで上下方向への移動が不可能となるため、可動演出ユニット１６は第１収納凹部２５ａからの脱落が阻止されたロック状態となる。ただし、この時点で突出部３４ｂの作動部３４ｃは依然として第１収納凹部２５ａ側から第２収納凹部２５ｂに向かって突出して露出状態となっているため、スライド部材３４をロック位置からＸ１方向へ押し込むよう作動部３４ｃに基づくスライド操作をすれば、各フック爪３４ｄと各係合段部２９ａの引っ掛かり状態が解除されるため、可動演出ユニット１６を再びアンロック状態にして第１収納凹部２５ａから持ち上げて取り外すことができる。
【００２７】
このようにスライド部材３４スライド移動させることによって可動演出ユニット１６をロック状態とした後、十字キーユニット１７を上方から第２収納凹部２５ｂに組み込むと、図１２に示すように、第２収納凹部２５ｂの上部開口が十字キーユニット１７の取付板３１によって塞がれると共に、下ケース３２から突出するストッパ片３２ａの側面がスライド部材３４の受部３４ｆの側面３４ｆ−２に対向しつつ近接して挿入されるようになる。そして、十字キーユニット１７を前述のスナップ結合に基づいてベース部材２４に固定すると、この時点でスライド部材３４のＸ１方向（図の左方）への移動がストッパ片３２ａの側面と受部３４ｆの側面３４ｆ−２との当接によって阻止されるため、十字キーユニット１７を第２収納凹部２５ｂから取り外さない限りスライド部材３４のロック状態は維持され、可動演出ユニット１６を第１収納凹部２５ａから取り外すことは不可能となる。
【００２８】
なお、十字キーユニット１７を第２収納凹部２５ｂに組み込む際に、スライド部材３４が正しくロック位置にスライド操作されていない場合、すなわち、スライド部材３４をアンロック位置からロック位置に移動操作する作業を忘れてしまった場合、十字キーユニット１７を第２収納凹部２５ｂに挿入する過程でストッパ片３２ａの下端が受部３４ｆの上面（上部周囲面３４ｆ−１）にぶつかってしまう（平面的に重なる）ため、十字キーユニット１７をスナップ結合可能とさせるための正規位置まで挿入することができなくなる。したがって、十字キーユニット１７を第２収納凹部２５ｂに対して正しく組み込むことができなかった場合は、可動演出ユニット１６がロック状態になっていないものと判断することができ、ロック状態にする操作を忘れたまま誤組付けしてしまうという不良を未然に防止することができる。
【００２９】
また、可動演出ユニット１６を検査したり交換するメンテナンス作業を行う場合は、上記した組み付け手順と逆の作業を行うようにすれば良い。すなわち、まず、十字キーユニット１７のスナップ結合を解除した後に、十字キーユニット１７を第２収納凹部２５ｂから持ち上げて取り外すことでスライド部材３４の突出部３４ｂ（受部３４ｆおよび作動部３４ｃ）を露出させ、この突出部３４ｂの作動部３４ｃを操作者の手指で把持等をさせて押し込み操作してスライド部材３４をＸ１方向末端のアンロック位置まで移動する。これにより、スライド部材３４のフック爪３４ｄと下カバー２９の係合段部２９ａとの引っ掛かり状態の係合が解除されるため、可動演出ユニット１６はアンロック状態になって支持部材３３に載置されている第１収納凹部２５ａから持ち上げて取り外すことができる。
【００３０】
以上説明したように、本実施形態例に係るパチンコ機（遊技機）は、遊技機の機器本体の一部を構成する上段受皿１３のベース部材２４に設けられた収納凹所２５に近接配置される可動演出ユニット１６と十字キーユニット（装飾部品）１７とを備え、この収納凹所２５が可動演出ユニット１６の組み付け位置として定められた第１収納凹部２５ａと十字キーユニット１７の組み付け位置として定められた第２収納凹部２５ｂを有していると共に、収納凹所２５の内底部にスライド部材３４がロック位置とアンロック位置との間を移動可能に保持されており、十字キーユニット１７の未装着状態で第２収納凹部２５ｂ内に露出するスライド部材３４（突出部３４ｂ）をロック位置へ移動することによって、可動演出ユニット１６の第１収納凹部２５ａからの脱落を阻止すると共に、十字キーユニット１７を第２収納凹部２５ｂに組み付けることによって、スライド部材３４（突出部３４ｂ）をロック位置に維持して外部から操作できないようにしたので、可動演出ユニット１６をベース部材２４の所定位置に簡単かつ確実に固定することができる。
【００３１】
なお、本実施形態例では、遊技者に対向する部位であって、遊技中等に想定外の衝撃が付与され易い上段受皿１３の前面部２４ｃにおいて、可動演出ユニット１６と装飾部品（十字キーユニット）１７を組付けるようにしている。そのため、可動演出ユニット１６と装飾部品１７の何れか一方が故障する可能性が高くなる。その際に、可動演出ユニット１６と装飾部品１７とが一体となっている場合と比較して、何れか一方を容易かつ円滑的にメンテナンスすることができるようになる。また、上面を開放した収納凹所２５は隔壁２４ａによって区画された第１収納凹部２５ａと第２収納凹部２５ｂとしているため、機内の制御装置に対しアクセスして不正行為をすることを想定した場合において、装飾部品１７を取り外した後にスライド部材３４を移動させ、さらに可動演出ユニット１６を取り外すことで収納凹所２５内の配線等にアクセス可能となるという煩雑な手間を要するので、かかる不正行為を抑止することができる。なお、遊技機の機器本体を構成する下段受皿１４や前面扉３など他部位のベース部材２４に、可動演出ユニット１６と装飾部品（十字キーユニット）１７を組付けるようにしても良い。また、スライド部材３４のフック爪３４ｄと下カバー２９の係合段部２９ａとの係合部位および該係合部位の個数は、要求される固定環境に応じて適宜に設計変更することも可能である。
【００３２】
また、本実施形態例では、十字キーユニット１７の構成部材である下ケース３２に下方へ突出するストッパ片３２ａを設けると共に、スライド部材３４に設けられた突出部３４ｂに、スライド部材３４を移動させる際に操作者によって操作させるための作動部３４ｃとストッパ片３２ａに当接して移動規制させるための受部３４ｆとが近接するように形成されている。これにより、十字キーユニット１７の未装着状態で第２収納凹部２５ｂに露出させるスライド部材３４の突出部３４ｂ（受部３４ｆおよび作動部３４ｅ）がアンロック位置にあるときは、受部３４ｆの上部周囲面３４ｆ−１をストッパ片３２ａの下端と平面的に重ならせて、十字キーユニット１７を第２収納凹部２５ｂに挿入させようとしても当該上部周囲面３４ｆ−１とストッパ片３２ａの下端が当接することによって組み付けが阻止される。そして、スライド部材３４の突出部３４ｂ（受部３４ｆおよび作動部３４ｅ）がロック位置に移動されることに応じて受部３４ｆが移動したときだけ、十字キーユニット１７（ストッパ片３２ａ）を第２収納凹部２５ｂへ挿入可能とし、十字キーユニット１７が組付けられた際に受部３４ｆの側面３４ｆ−２をストッパ片３２ａの側面に対向させてスライド部材３４のアンロック位置への移動を阻止するようにしている。これにより、可動演出ユニット１６と十字キーユニット１７を収納凹所２５の所定位置に簡単かつ確実に組付けることができると共に、可動演出ユニット１６を第１収納凹部２５ａからの脱落を阻止させる保持とするためのロック状態にするスライド部材３４の操作を忘れたまま十字キーユニット１７の誤組付けをしてしまうという不良を未然に防止することができる。なお、本実施形態例では、近接して設けられる受部３４ｆおよび作動部３４ｅは、スライド部材を構成する一部分として一体的に形成される突出部３４ｂに設けられるとしているが、それぞれを別部品として組み立て構成されるようにしても良い。
【００３３】
また、上記実施形態例では、可動演出ユニット１６が押圧ボタン２６および回転リング２７を備える構成としたが、何れか一方のみの構成としても良い。また、ボタン構成も押しボタンでなくとも、引き出し式やレバー式であっても良い。また、可動演出ユニット１６の可動構成の態様は、回転駆動だけでなく揺動や突出駆動などであっても良い。また、可動演出ユニット１６が、画像表示制御（例えば、液晶表示、７セグ）に基づく二次元可動表示演出をさせるための構成であっても良い。
【００３４】
なお、上記実施形態例では、可動演出ユニット１６に近接配置される装飾部品として十字キーユニット１７を例示して説明したが、十字キーユニット１７以外の他の装飾部品として、可動演出ユニット１６の回転リング２７の回転駆動制御、押圧ボタン２６の押圧面を発光させる発光制御、押圧ボタン２６が押圧されたときの検知制御との連動に基づく報知や演出、または遊技に関する表示装置に対して可変表示処理などを行わせる所定の入出力装置を備える部品としても良い。例えば、球貸ボタンと返却ボタン等を搭載した球貸操作板や、ＬＥＤや導光板等を内蔵した電飾板や、遊技に係る画像表示制御（例えば、液晶表示、７セグ）が可能な表示装置や、装飾フィギュアに代表される意匠体等を可動演出ユニット１６に近接配置するようにしても良い。
【００３５】
また、上記実施形態例では、本発明による可動演出ユニット１６と装飾部品（十字キーユニット）１７の固定構造をパチンコ機に適用した場合について説明したが、スロットマシン等の他の遊技機に適用することも可能である。
【符号の説明】
【００３６】
２  本体枠
３  前面扉
１３  上段受皿
１６  可動演出ユニット
１７  十字キーユニット（装飾部品）
２４  ベース部材
２４ａ  隔壁
２５  収納凹所
２５ａ  第１収納凹部
２５ｂ  第２収納凹部
２９  下カバー
２９ａ  係合段部
３２  下ケース
３２ａ  ストッパ片
３３  支持部材
３３ａ  開口
３３ｂ  ガイド面
３４  スライド部材
３４ａ  枠状部
３４ｂ  突出部
３４ｃ  橋絡片
３４ｄ  フック爪
３４ｅ  作動部
３４ｆ  受部
【図１】
2014200412.tif 000003
【図２】
2014200412.tif 000004
【図３】
2014200412.tif 000005
【図４】
2014200412.tif 000006
【図５】
2014200412.tif 000007
【図６】
2014200412.tif 000008
【図７】
2014200412.tif 000009
【図８】
2014200412.tif 000010
【図９】
2014200412.tif 000011
【図１０】
2014200412.tif 000012
【図１１】
2014200412.tif 000013
【図１２】
2014200412.tif 000014